(57)【要約】【課題】  パソコンあるいはＰＤＡ等の情報端末機器等の内部に組込むアンテナにおいて、ＷｉＭａｘ帯域に加えて無線ＬＡＮ帯域においても通信感度に優れ、しかも構造がシンプルで小型化にも適した多周波用アンテナエレメントを提供することにある。【解決手段】幅広の給電部（３）の左端部から上方に延出し、グランド板（４）と平行な方向にＬ字状に折り返す、低周波側放射エレメント（１）を設け、さらに、給電部（３）の右端部から低周波側放射エレメント（１）と近接並行に延出し、その端部が上方に向けて折り返すＬ字状の高周波側放射エレメント（２）を配置する。さらに、給電部（３）と矩形状グランド板（４）及び短絡部（５）とでスリット（６）を形成する。  【選択図】  図１
2010183475.tif 000002
【特許請求の範囲】
【請求項１】
細幅状の低周波側放射エレメント及び細幅状の高周波側放射エレメントを含む放射エレメント部が給電部及び短絡部を介して、矩形状グランド板の幅方向に並行に配置されたアンテナエレメントであって、
該エレメント部は、該給電部の一方の端部から起立状態で延出し、グランド板と並行にＬ字状に折り返す低周波側放射エレメント、および該給電部の反対側の端部から該低周波側放射エレメントと近接並行に配置され、さらに、その端部がＬ字状に上方に向け、Ｌ字状に延出している高周波側放射エレメントを含み、該給電部の横方向の幅が幅広状になっているとともに、該給電部と該短絡部及び該矩形状グランド板とでスリットを形成していることを特徴とするアンテナエレメント。
【請求項２】
該給電部の横幅が１２mm以上である請求項１に記載のアンテナエレメント。
【請求項３】
該給電部の面積が３６ｍｍ２以上である請求項１または２に記載のアンテナエレメント。
【請求項４】
該低周波側放射エレメントと該高周波側放射エレメントとの間隔が０．８ｍｍ〜１．５ｍｍである請求項１〜３のいずれかに記載のアンテナエレメント。
【請求項５】
同軸ケーブルの内部導体を該給電部にある給電点に接続し他方、該ケーブルの外部導体を該矩形状グランド板に接続してなる請求項１〜４のいずれかに記載のアンテナ。
【発明の詳細な説明】
【技術分野】
【０００１】
本発明は、パソコン、ＰＤＡ（携帯型情報機器）、携帯電話、あるいはＶＩＣＳなどの情報端末機器等に内蔵させる多周波用小型アンテナエレメントに関する。
【背景技術】
【０００２】
近年の無線ＬＡＮあるいは近距離無線データ通信システムにおいては、アンテナの多周波化とともに小型化の要求がますます強くなってきている。その中でも最近は、特にＷｉＭａｘ（２．３ＧＨｚ〜２．４ＧＨｚ、２．５ＧＨｚ〜２．７ＧＨｚ、３．３ＧＨｚ〜３．８ＧＨｚ）帯域での要求が高まってきている。
さらに、単一のアンテナで従来の無線ＬＡＮ帯域で使用される２つの帯域（２．４５ＧＨｚ及び５ＧＨｚ）とＷｉＭａｘ帯域の３つの帯域に対応できるような広帯域化の要求も強くなってきている。
単一のアンテナで３つの帯域に対応できるアンテナとしては、無線ＬＡＮ帯域とＷＡＮ帯域並びにＤＶＢＨ・ＧＰＳ帯域の３つの帯域に対応できるような広帯域化アンテナが知られている。（特許文献１参照）
ところが、このアンテナでは、ＷＡＮ帯域に対応するため、低域周波数帯域での使用周波数が低く不可避的に低周波側放射エレメントが長くなってしまう。また、広帯域化するため、高周波側放射エレメントと低周波側放射エレメントの接続部の長さと幅を確保することでインダクタンスを大きくする必要があり、結局、高さ方向の寸法を増大させる必要があった。このため、アンテナを装置に組み込みにくいというスペース上の問題があった。
【０００３】
さらに、最近では、指向性（水平方向および垂直方向）を無くすため、上記のアンテナを複数個組込む必要があり、益々小型化が不可欠の条件になってきている。
【先行技術文献】
【特許文献】
【０００４】
【特許文献１】特開２００８−１６０３１９号公報
【発明の概要】
【発明が解決しようとする課題】
【０００５】
したがって、本発明の課題は、ＷｉＭａｘ帯域に加えて無線ＬＡＮ帯域においても通信感度に優れ、しかも構造がシンプルで小型化にも適した多周波用アンテナエレメントを提供することにある。
【課題を解決するための手段】
【０００６】
本発明者等は、上記したアンテナをベースに、特に縦方向（高さ方向）の短縮化を鋭意検討した。その結果、エレメント部でなく、給電部を横幅を幅広としインダクタンス成分を増大させるとともに、給電部端面から低周波側放射エレメント及び高周波側放射エレメントを近接平行に延出させることで、キャパシタンス成分を増大させることにより、過度になったインダクタンス成分を補償することで、インピーダンス不整合の不都合を生じさせることなく広帯域化が実現でき上記課題を解決するに至った。合わせて、アンテナ形状の小型化が実現できた。
【発明の効果】
【０００７】
本発明のアンテナでは、以下の効果が期待できる。
（１）   エレメント形状が小型の割に多周波帯域（例えば、ＷｉＭａｘ帯域、無線ＬＡＮ帯域）で安定した共振が得られ、もって、これらの帯域での通信感度が向上する。
（２）   高さ方向が短縮化できアンテナ全体での小型化が実現できる。
（３）   インピーダンス調整が容易である。
【図面の簡単な説明】
【０００８】
【図１】本発明の３周波用アンテナエレメントの一例を示す正面図である。
【図２】図１のアンテナエレメントに給電用同軸ケーブルを取り付けた際のアンテナの斜視図である。
【図３】図２のアンテナの周波数特性（ＶＳＷＲ）を示す図（グラフ）である。
【発明を実施するための形態】
【０００９】
以下に、ＷｉＭａｘ帯域に加えて無線ＬＡＮ帯域に対応可能な３周波対応のアンテナエレメントについて、添付図面（図１）を参照しながら説明する。
ここではＷｉＭａｘ帯域の低域側（２．３ＧＨｚ〜２．４ＧＨｚ、２．５ＧＨｚ〜２．７ＧＨｚ）及び無線ＬＡＮ帯域の低域側（２．４５ＧＨｚ）に対応するエレメントを低周波エレメント（１）とし、一方、ＷｉＭａｘ帯域の高周波側（３．３ＧＨｚ〜３．８ＧＨｚ）対応するエレメントを高周波エレメント（２）とした。
図１において、放射エレメント部は、給電部（３）の左端部から起立状態で延出した後右方向即ち矩形状グランド板（４）と並行にＬ字状に折り返す細幅状の低周波側放射エレメント（１）（以下、“低周波エレメント”と略記する。）、及び、給電部（３）の右端部から右方向に低周波側放射エレメント（１）と並行に延出した後、上方に向けＬ字状に折り返す細幅状の高周波側放射エレメント（２）（以下、“高周波エレメント”と略記する。）、および、給電部（３）と矩形状グランド板（４）および短絡部（５）によって形成された、スリット部（６）からなる。
【００１０】
更に、（ｄ）は低周波エレメント（１）と高周波エレメント（２）との間隔、（Ｌ）は給電部（３）の幅、（Ｈ）は給電部（３）の高さである。又、（Ｓ１）は、高周波エレメント部（１）並びに低周波エレメント部（２）に給電するための同軸ケーブル（７）の内部導体（７ａ）を接続する給電点で、給電部（３）の中程、スリット部（６）近接した位置に設けている。他方、（Ｓ２）は、該ケーブルの外部導体（７ｂ）を接続するアースポイントで、グランド板（４）の上縁部で且つ給電点（Ｓ１）に対峙した位置にある。
【００１１】
本発明に特徴的なことは、低周波エレメント（１）と高周波エレメント（２）による共振を広帯域化するため、給電部（３）の横幅（Ｌ）を幅広としている。
こうすることで、給電部（３）の誘導成分（リアクタンス成分）が増大、低周波エレメント（１）と高周波エレメント（２）の２つのエレメントと給電部（３）の３者間での相乗作用により広帯域化が実現可能となる。
ここで、給電部（３）の横幅（Ｌ）は広帯域化のため、十分なリアクタンス成分を確保しつつ、アンテナ全体での幅方向のスペース小型化を考慮すると、１２ｍｍ〜１８ｍｍが好ましい範囲である。なお、ここでは、給電部（３）の高さ（Ｈ）については、エレメント（アンテナ）の高さ方向短縮化のため、できるだけ小さくする方向で設定したが、極端に小さいと十分な誘導成分（リアクタンス成分）が得られないので、給電部の面積を３６ｍｍ２以上とすることが望ましい。
【００１２】
さらに、本発明に特徴的なことは、低周波エレメント（１）と高周波エレメント（２）を近接平行配置することにより両エレメント間での容量成分（キャパシタンス成分）を増大させている。この理由は、給電部（３）の誘導成分（リアクタンス成分）を増大させるため、幅広としたことにより、誘導成分（リアクタンス成分）が過多になり、インピーダンス調整が困難となり、インピーダンス不整合の問題を解消するためである。
こうすることにより、過度になった誘導成分（リアクタンス成分）を容量成分（キャパシタンス成分）により補償できインピーダンス調整が容易となる。
ここで、低周波エレメント（１）と高周波エレメント（２）との距離は両エレメント間での不要な干渉を防止しつつ十分な容量成分効果を得るため、０．８ｍｍ〜１．５ｍｍが好ましい範囲である。
【００１３】
さらに、本発明では、上記したように、給電部（３）と矩形状グランド板（４）および短絡部（５）とでスリット部（６）を形成しているが、これは、スリット部（６）で、上記した２つのエレメント共振により帯域より、さらに、高い帯域での共振を実現するためのものである。ここで、スリット部（６）の長さは共振周波数に応じて設定し、幅については、安定したスリット共振で可能となる範囲で設定すれば良い。通常は０．８ｍｍ〜１．５ｍｍの範囲が望ましい。
【００１４】
以上説明したように、本発明では、幅広の給電部（３）、同給電部から延出する近接平行配置の高周波エレメント（１）、低周波エレメント（２）の２つの放射エレメント並びにスリット（６）でのスリット共振により、３つの帯域での多周波化を実現している。
【００１５】
図２には、このようなアンテナエレメントに同軸ケーブル（７）を接続して得たアンテナが示されている。アンテナ自体は、その取付け空間の状況に応じて立体アンテナあるいは平面アンテナとして適用される。
【００１６】
本発明において、高周波エレメント（１）及び低周波エレメント（２）の長さは、採択しようとする波長の概ね１／４の長さに設定するか、この１／４の長さを基準として、部材間の相互作用を考慮しながら実験的に設定すればよい。他方、その幅は０．５ｍｍ〜５ｍｍの範囲から、厚さは０．１ｍｍ〜１ｍｍの範囲から適宜採択する。
【００１７】
以上に述べたアンテナエレメントは、洋白（白銅）、銅、鉄、更には黄銅等の金属一枚板を打ち抜いて得られる。あるいは、平板状絶縁性基板上に銅箔のような金属薄膜を貼り付けた状態で、該金属膜をエッチングしても得ることができる。
【００１８】
給電用同軸ケーブル（７）としては、周知のフッ素樹脂被覆等の高周波同軸ケーブルが採用される。このケーブル（７）の内部導体（７ａ）の終端は、給電部（３）にある給電点（Ｓ１）に接続し、外部導体（７ｂ）は給電点（Ｓ１）に対峙するグランド板（４）上に設けたアースポイント（Ｓ２）に接続される。同軸ケーブル（７）を給電点（Ｓ１）及びアースポイント（Ｓ２）に接続するには、ハンダ付あるいは超音波接続等を利用すればよい。
【実施例】
【００１９】
以下に、図１に示した３周波対応のアンテナエレメントを、ＷｉＭａｘ帯域（２．３ＧＨｚ〜２．４ＧＨｚ、２．５ＧＨｚ〜２．７ＧＨｚ、３．３ＧＨｚ〜３．８ＧＨｚ）及び無線ＬＡＮ帯域（２．４５ＧＨｚ及び５ＧＨｚ）を採用するパソコン内蔵用アンテナとして、適用する例について示す。
【００２０】
1.  図２のアンテナエレメントの作成：
厚さが０．４ｍｍの洋白の一枚板を打ち抜いて、ＷｉＭａｘ帯域の波長及び無線ＬＡＮ帯域の低域側（２．４５ＧＨｚ）に対応する一体物を作成した。ここではＷｉＭａｘ帯域の低域側（２．３ＧＨｚ〜２．４ＧＨｚ、２．５ＧＨｚ〜２．７ＧＨｚ）及び無線ＬＡＮ帯域の低域側（２．４５ＧＨｚ）に対応するエレメントを低周波エレメント（１）とし、一方、Ｗｉ-Ｍａｘ帯域の高周波側（３．３ＧＨｚ〜３．８ＧＨｚ）対応するエレメントを高周波エレメント（２）とした。その際の各部材の寸法は、以下のとおりである。・低周波エレメント（１）：長さ２４．５ｍｍ、幅２mm。
・高周波エレメント（２）：長さ１７．３ｍｍ、幅１．２ｍｍ。
・低周波エレメント（１）は給電部（３）の左端、上面から折り返し状に延出し、その端部が高周波側放射エレメント（２）方向に指向するＬ字形状のエレメント、一方、高周波エレメント（２）は給電部（３）の右端、上面から折り返し状に延出し、その端部が低周波側放射エレメント（２）と平行に指向するＬ字形状のエレメントとした。
・低周波エレメント（１）と高周波エレメント（２）との間隔（ｄ）：１．１ｍｍ。
・給電部（３）：幅（Ｌ）15ｍｍ、高さ（Ｈ）３．６ｍｍ
・矩形状グランド板（４）：幅２８ｍｍ、高さ１５ｍｍ。  
・短絡部（５）：長さ１５．２ｍｍ、幅１．２ｍｍ。
・スリット（６）：長さ２６ｍｍ、幅１ｍｍ
・ 給電点（Ｓ１）の位置：給電部（３）の略中程、スリット部（６）近接した位置。
・    
アースポイント（Ｓ２）の位置：グランド板（４）の上縁部で且つ給電点（Ｓ１）に対峙した位置。
【００２１】
２．図３のアンテナの完成
給電用同軸ケーブル（７）として、外径１．１３ｍｍ、内部導体径０．２４ｍｍのフッ素樹脂（ＰＦＡ）被覆の高周波同軸ケーブルを用意し、その先端部で内部導体及び外部導体を露出させた。内部導体の終端部を給電点（Ｓ１）に、そして該外部導体をアースポイント（Ｓ２）にそれぞれハンダにより接続することにより、図２に示す形状のアンテナを得た。
【００２２】
得られたアンテナの帯域幅をしたところ、図３に示すように、ＶＳＷＲが２．５以下の帯域が、ＷｉＭａｘ（２．３ＧＨｚ〜２．４ＧＨｚ、２．５ＧＨｚ〜２．７ＧＨｚ、３．３ＧＨｚ〜３．８ＧＨｚ）帯域およびＬＡＮ帯域の低周波側（２．４ＧＨｚ）で約３００ＭＨｚ、ＬＡＮ帯域の高周波側（５ＧＨｚ）高周波側で５００ＭＨｚと十分に確保されており、ＷｉＭａｘ帯域（３区分）に無線ＬＡＮ帯域（高低２区分）を加えた３帯域（５区分）で十分な通信特性が得られた。
【産業上の利用可能性】
【００２３】
本発明のアンテナは、ＷｉＭａｘのみならず、ＬＡＮ帯域（２．５ＧＨｚ／５ＧＨｚ）に対しても適用でき、したがって、パソコンの他に、携帯電話、ＰＤＡ、或いはＶＩＣＳ等の各種情報端末機器のみならず通信機能を有した情報家電、更には自動車関連機器へも同様に利用できる。
【符号の説明】
【００２４】
１    細幅状の低周波側放射エレメント
２    細幅状の高周波側放射エレメント
３    給電部
４      矩形状グランド板
５    短絡部
６    スリット部
７    給電用同軸ケーブル
ｄ    低周波エレメント（１）と高周波エレメント（２）との間隔
Ｌ    給電部（３）の幅
Ｈ    給電部（３）の高さ
Ｓ１  給電点
Ｓ２  アースポイント
【図１】
2010183475.tif 000003
【図２】
2010183475.tif 000004
【図３】
2010183475.tif 000005
【手続補正書】
【提出日】平成21年12月7日(2009.12.7)
【手続補正１】
【補正対象書類名】図面
【補正対象項目名】全図
【補正方法】変更
【補正の内容】
【図１】
2010183475.tif 000006
【図２】
2010183475.tif 000007
【図３】
2010183475.tif 000008